(57)【要約】【課題】腕や脚のまわりに装着した状態を一層安定にすることができる加圧用具を提供する。【解決手段】空気袋を膨張させて腕又は脚を締める加圧用具１であって、ベルト本体の一方の端部の縁より張り出しているカバー部材４１０．４２０と、カバー部材がベルト本体の外側に被さった端部被覆状態を保持するカバー用保持部材と、を備えて、端部被覆状態でカバー部材とベルト本体とがベルト本体の長手方向に距離を置いて口を有する外収容部Ｓ２を構成し、ベルト本体を腕又は脚のまわりに巻いてベルト本体の他方の端部をベルト本体の一方の端部に重ね、ベルト本体の一方の端部上で第１留め具３１と第２留め具３２とをつなぎ、さらにベルト本体の一方の端部の縁から張り出すカバー部材４１０，４２０を第１留め具３１と第２留め具３２とベルト本体の他方の端部に被せて固定する。【選択図】図５
2020137900.tif 000002
【特許請求の範囲】
【請求項１】
内部に空気袋を収容した長尺なベルト本体と、
上記ベルト本体の外側の面に基端部を固定して上記ベルト本体の一方の端部側に設けられる第１サブベルトと、
上記ベルト本体の外側の面に基端部を固定して上記ベルト本体の他方の端部側に設けられる第２サブベルトと、
取付位置を変更可能に上記第１サブベルトに取り付けられると共に上記第１サブベルトを折り返す第１留め具と、
取付位置を変更可能に上記第２サブベルトに取り付けられると共に上記第２サブベルトを折り返し、さらに上記第１留め具に着脱自在につながる第２留め具と、を備え、
上記ベルト本体を使用者の腕又は脚のまわりに巻いて他方の端部を一方の端部に重ねてリング型の形にした状態で上記第１留め具と上記第２留め具とをつないで装着し、上記空気袋を膨張させて上記腕又は上記脚を締め付ける加圧用具であって、
上記ベルト本体の一方の端部の縁より張り出しているカバー部材と、
上記カバー部材が上記ベルト本体の外側の面に被さった状態（以下、端部被覆状態と呼ぶ。）を保持するカバー用保持部材と、を備えて、
端部被覆状態で上記カバー部材と上記ベルト本体とが、上記ベルト本体の長手方向に距離を置いて口を有する外収容部を構成し、
上記ベルト本体の他方の端部の上で上記第１留め具と上記第２留め具とをつないで、連結した上記第１留め具と上記第２留め具とに上記カバー部材を被せることで、上記第１留め具と上記第２留め具と上記ベルト本体の他方の端部とが上記外収容部に収められることを特徴とする、加圧用具。
【請求項２】
端部被覆状態で上記第１留め具によって折り返して上記カバー部材より外に現れる上記第１サブベルトの先端側を上記ベルト本体に留める第１規制部材と、端部被覆状態で上記第２留め具によって折り返して上記カバー部材より外に現れる上記第２サブベルトの先端側を上記ベルト本体に留める第２規制部材と、を備えていることを特徴とする、請求項１に記載の加圧用具。
【請求項３】
上記第１サブベルトの折り返しの長さを変えることで上記腕又は上記脚を締め付ける強さを調整することができ、上記第２サブベルトの折り返しの長さを変えて上記腕又は上記脚のまわりに対応するリング型の上記ベルト本体の大きさを調整することができることを特徴とする、請求項１又は請求項２に記載の加圧用具。
【請求項４】
上記腕又は上記脚に当たる内側の面は、上記外収容部が構成される一方の端部側が他の部分と比べてノンスリップ性を高く構成されていることを特徴とする、請求項１から請求項３の何れかに記載の加圧用具。
【請求項５】
内部に空気袋を収容した長尺なベルト本体と、
上記ベルト本体の外側に基端部を固定して上記ベルト本体の一方の端部側に設けられるサブベルトと、
取付位置を変更可能に上記サブベルトに取り付けられると共に上記サブベルトを折り返す第１留め具と、
上記ベルト本体の他方の端部側に設けられ上記第１留め具に着脱自在につながる第２留め具と、を備え、
上記ベルト本体を使用者の腕又は脚のまわりに巻いて他方の端部を一方の端部に重ねてリング型の形にした状態で上記第１留め具と上記第２留め具とをつないで装着し、上記空気袋を膨張させて上記腕又は上記脚を締め付ける加圧用具であって、
上記ベルト本体の一方の端部の縁より張り出しているカバー部材と、
上記カバー部材が上記ベルト本体の外側に被さった端部被覆状態を保持するカバー用保持部材と、を備えて、
端部被覆状態で上記カバー部材と上記ベルト本体とが、上記ベルト本体の長手方向に距離を置いて口を有する外収容部を構成し、
上記ベルト本体の他方の端部の上で上記第１留め具と上記第２留め具とをつないで、上記第１留め具に上記カバー部材を被せることで、上記第１留め具と上記ベルト本体の他方の端部とが上記外収容部に収められることを特徴とする、加圧用具。
【請求項６】
端部被覆状態で上記第１留め具によって折り返して上記カバー部材より外に現れる上記サブベルトの先端側を上記ベルト本体に留める規制部材を備えていることを特徴とする、請求項５に記載の加圧用具。
【請求項７】
上記ベルト本体は他方の端部側の内部に板状の芯材を備えており、
上記空気袋は、上記ベルト本体の内部において、上記芯材が設けられる他方の端部側を外して、一方の端部から他方の端部側へ亘って設けられていることを特徴とする、請求項１から請求項６の何れかに記載の加圧用具。
【請求項８】
空気袋を内部に収容しサブベルトの基端側を外側の面に固定した長尺なベルト本体を使用者の腕又は脚のまわりに巻き、
上記サブベルトの折り返す長さを調整して上記サブベルトに取り付けられて上記ベルト本体の一方の端部側に設けられる第１留め具を、上記ベルト本体の他方の端部側に設けられる第２留め具に、つないで上記ベルト本体を装着し、
上記空気袋を膨張させて上記腕又は上記脚を締める、加圧用具の使用方法であって、
上記ベルト本体を上記腕又は上記脚のまわりに巻いて上記ベルト本体の他方の端部を上記ベルト本体の一方の端部に重ね、上記ベルト本体の一方の端部上で上記第１留め具と上記第２留め具とをつなぎ、さらに上記ベルト本体の一方の端部の縁から張り出すカバー部材を上記第１留め具と上記ベルト本体の他方の端部に被せて固定する第１工程と、
上記加圧用具で上記腕又は上記脚を締めた状態で水中トレーニングを行う第２工程と、を備えていることを特徴とする、加圧用具の使用方法。
【請求項９】
上記第２留め具が、上記ベルト本体の外側の面に基端側を固定した他のサブベルトの折り返す長さを調整して、上記他のサブベルトに取り付けられている上記加圧用具の使用方法であって、
上記第１工程では、上記ベルト本体の一方の端部の縁から張り出すカバー部材を上記第１留め具と上記第２留め具と上記ベルト本体の他方の端部に被せて固定することを特徴とする、請求項８に記載の加圧用具の使用方法。
【発明の詳細な説明】
【技術分野】
【０００１】
本発明は、腕や脚のまわりに装着した状態で膨張して腕や脚を締め付ける加圧用具の構造に関する。
【背景技術】
【０００２】
従来より、トレーニングとして腕や脚を加圧した状態で運動を行うことが知られている。腕や脚を加圧するための加圧用具は、長尺なベルト本体を腕や脚に巻いてリング状の形態を保持させることができるように構成されている。図７に示すように、加圧用具９０は、ベルト本体９１の一方の端部に設けたＤ環部材９２と、Ｄ環部材９２で折り返した先端側をベルト本体９１の外側に着脱自在に留める面ファスナー９３と、を備えている。
【０００３】
ベルト本体９１は、内部に空気袋を設けていて、腕や脚に巻いてリング状の形にした状態で、チューブ９４、ポンプ９５や計測器９６を空気袋に接続して外部から空気を送って膨張させることで腕や脚を締め付けることができる。これにより、腕や脚の加圧部位での血流を抑えて運動を行うことで効果的なトレーニングを行うことができる。特許文献１は、ベルトの一端側に設けた環状の部材で他端側を折り返しこの先端側をベルト本体の表面に面ファスナーで留める加圧用具を開示している。
【０００４】
また、ベルト本体をリング状の形態に保持する部材として、Ｄ環部材に代えてバックルを用いることが考えられる。図８は従来のバックルの構成例を示す平面図である。バックルは、ベルト本体の一方の端部側に設けられる雄バックル９７と、他方の端部側に設けられ雄バックル９７に着脱自在につながる雌バックル９８と、から成る。雄バックル９７と雌バックル９８とをつないで腕や脚のまわりに加圧用具を装着することができる。
【０００５】
雄バックル９７をベルト本体の外側にサブベルト９９を介して取り付ける場合、サブベルト９９は、先端側が雄バックル９７に設けた折り返し用の開口９７Ａを下から通り、引き出された先端側が更に折り返し用の開口９７Ａの横に設けた他の開口９７Ｂに上から入り更にこの開口９７Ｂより外側に配置されるバックルの上面端部の下を通って外側へ引き出されていて、引き出す長さを変えることでベルト本体上における雄バックル９７の位置を変えることができる。
【先行技術文献】
【特許文献】
【０００６】
【特許文献１】特許第４８９２７１５号公報（図１０，図１１）
【発明の概要】
【発明が解決しようとする課題】
【０００７】
加圧用具を装着してトレーニングを行う過程で、外部からバックルに力が加わって動いてしまうと、連結状態が解除されて加圧用具が腕や脚から外れてしまう虞がある。
【０００８】
特に、水中での加圧用具を利用したトレーニングでは、使用者の動きと共にサブベルトの先端側やバックルが水による影響を受けて、バックルが動いてしまう。これでは、加圧部位の締め付けを持続させることができない。
【０００９】
本発明は、腕や脚のまわりに装着した状態を一層安定にすることができる加圧用具とその使用方法とを提供することを目的とする。
【課題を解決するための手段】
【００１０】
本発明の加圧用具は、内部に空気袋を収容した長尺なベルト本体と、上記ベルト本体の外側の面に基端部を固定して上記ベルト本体の一方の端部側に設けられる第１サブベルトと、上記ベルト本体の外側の面に基端部を固定して上記ベルト本体の他方の端部側に設けられる第２サブベルトと、取付位置を変更可能に上記第１サブベルトに取り付けられると共に上記第１サブベルトを折り返す第１留め具と、取付位置を変更可能に上記第２サブベルトに取り付けられると共に上記第２サブベルトを折り返し、さらに上記第１留め具に着脱自在につながる第２留め具と、を備え、上記ベルト本体を使用者の腕又は脚のまわりに巻いて他方の端部を一方の端部に重ねてリング型の形にした状態で上記第１留め具と上記第２留め具とをつないで装着し、上記空気袋を膨張させて上記腕又は上記脚を締め付ける。上記加圧用具は、上記ベルト本体の一方の端部の縁より張り出しているカバー部材と、上記カバー部材が上記ベルト本体の外側の面に被さった状態（以下、端部被覆状態と呼ぶ。）を保持するカバー用保持部材と、を備えて、端部被覆状態で上記カバー部材と上記ベルト本体とが、上記ベルト本体の長手方向に距離を置いて口を有する外収容部を構成する。上記加圧用具では、上記ベルト本体の他方の端部の上で上記第１留め具と上記第２留め具とをつないで、連結した上記第１留め具と上記第２留め具とに上記カバー部材を被せることで、上記第１留め具と上記第２留め具と上記ベルト本体の他方の端部とが上記外収容部に収められる。
【００１１】
さらに本発明の加圧用具は、好ましくは、端部被覆状態で上記第１留め具によって折り返して上記カバー部材より外に現れる上記第１サブベルトの先端側を上記ベルト本体に留める第１規制部材と、端部被覆状態で上記第２留め具によって折り返して上記カバー部材より外に現れる上記第２サブベルトの先端側を上記ベルト本体に留める第２規制部材とを備えている。
【００１２】
本発明の加圧用具は、内部に空気袋を収容した長尺なベルト本体と、上記ベルト本体の外側に基端部を固定して上記ベルト本体の一方の端部側に設けられるサブベルトと、取付位置を変更可能に上記サブベルトに取り付けられると共に上記サブベルトを折り返す第１留め具と、上記ベルト本体の他方の端部側に設けられ上記第１留め具に着脱自在につながる第２留め具と、を備え、上記ベルト本体を使用者の腕又は脚のまわりに巻いて他方の端部を一方の端部に重ねてリング型の形にした状態で上記第１留め具と上記第２留め具とをつないで装着し、上記空気袋を膨張させて上記腕又は上記脚を締め付ける。上記加圧用具は、上記ベルト本体の一方の端部の縁より張り出しているカバー部材と、上記カバー部材が上記ベルト本体の外側に被さった端部被覆状態を保持するカバー用保持部材と、を備えて、端部被覆状態で上記カバー部材と上記ベルト本体とが、上記ベルト本体の長手方向に距離を置いて口を有する外収容部を構成する。上記加圧用具では、上記ベルト本体の他方の端部の上で上記第１留め具と上記第２留め具とをつないで、上記第１留め具に上記カバー部材を被せることで、上記第１留め具と上記ベルト本体の他方の端部とが上記外収容部に収められる。
【００１３】
本発明の加圧用具の使用方法は、空気袋を内部に収容しサブベルトの基端側を外側の面に固定した長尺なベルト本体を使用者の腕又は脚のまわりに巻き、上記サブベルトの折り返す長さを調整して上記サブベルトに取り付けられて上記ベルト本体の一方の端部側に設けられる第１留め具を、上記ベルト本体の他方の端部側に設けられる第２留め具に、つないで上記ベルト本体を装着し、上記空気袋を膨張させて上記腕又は上記脚を締める。上記加圧用具の使用方法は、下記の第１工程と第２工程とを備えている。
第１工程：上記ベルト本体を上記腕又は上記脚のまわりに巻いて上記ベルト本体の他方の端部を上記ベルト本体の一方の端部に重ね、上記ベルト本体の一方の端部上で上記第１留め具と上記第２留め具とをつなぎ、さらに上記ベルト本体の一方の端部の縁から張り出すカバー部材を上記第１留め具と上記ベルト本体の他方の端部に被せて固定する。
第２工程：上記加圧用具で上記腕又は上記脚を締めた状態で水中トレーニングを行う。
【００１４】
上記第２留め具が、上記ベルト本体の外側の面に基端側を固定した他のサブベルトの折り返す長さを調整して、上記他のサブベルトに取り付けられている上記加圧用具であれば、上記第１工程では、上記ベルト本体の一方の端部の縁から張り出すカバー部材を上記第１留め具と上記第２留め具と上記ベルト本体の他方の端部に被せて固定する。
【発明の効果】
【００１５】
本発明によれば、カバー部材を第１留め具に被せて、第１留め具に外部からの力、例えば水中使用時に水から受ける影響を低減することができる。
【図面の簡単な説明】
【００１６】
【図１】（ａ）は本発明の第１実施形態の加圧用具を示す平面図であり、（ｂ）は本発明の第１実施形態の加圧用具を示す底面図である。
【図２】（ａ）は図１（ｂ）のＡ１−Ａ１線に沿った本発明の第１実施形態の加圧用具の概略断面図であり、（ｂ）は図１（ｂ）のＡ２−Ａ２線に沿った本発明の第１実施形態の加圧用具の概略断面図であり、（ｃ）〜（ｄ）は（ａ）に示す収容ユニットを構成する部材を示す断面図である。
【図３】（ａ）は図１（ａ）のＡ３−Ａ３線に沿った本発明の第１実施形態の加圧用具の概略断面図であり、（ｂ）は図１（ａ）のＡ４−Ａ４線に沿った本発明の第１実施形態の加圧用具の概略断面図である。
【図４】（ａ）は本発明の第１実施形態の加圧用具を示す部分平面図であり、（ｂ）は（ａ）のＡ５−Ａ５線に沿った本発明の第１実施形態の加圧用具の概略断面図である。
【図５】（ａ）と（ｂ）とは本発明の第１実施形態の加圧用具の装着状態を示す斜視図である。
【図６】（ａ）は本発明の第２実施形態の加圧用具を示す平面図であり、（ｂ）は本発明の第２実施形態の加圧用具を示す底面図である。
【図７】従来の加圧用具を示す平面図である。
【図８】従来のバックルの構成を示す平面図である。
【発明を実施するための形態】
【００１７】
（第１実施形態）
図１は本発明の第１実施形態の加圧用具１を示しており、（ａ）は平面図であり、（ｂ）は底面図である。図１（ａ）では、加圧用具１を広げて横に延ばした状態を示しており、以下この図１（ａ）に示す形態を基本姿勢として、加圧用具１の説明を進める。加圧用具１は、脚のまわりに装着することができるよう構成されており、長尺なベルト本体１０と、ベルト本体１０の右端部１０Ｒ側（一方の端部側）に設けられる第１サブベルト２１と、ベルト本体１０の左端部１０Ｌ側（他方の端部側）に設けられる第２サブベルト２２と、取付位置を変更可能に第１サブベルト２１に取り付けられた雄バックル３１と、取付位置を変更可能に第２サブベルト２２に取り付けられていて雄バックル３１と着脱自在につながる雌バックル３２と、を備えている。
【００１８】
図２はベルト本体１０を示す図で、（ａ）が図１（ｂ）のＡ１−Ａ１線に沿った概略断面図であり、（ｂ）は図１（ｂ）のＡ２−Ａ２線に沿った概略断面図である。ベルト本体１０は、使用者の脚に当たる帯状の内表皮材１０１と、装着の際に外に現れる面を構成する帯状の外表皮材１０２とを、縁を重ねて縫合して構成されていて、内部が収容部として収容ユニット１１０と補強部１２０とを入れることができる。内表皮材１０１と外表皮材１０２とが幅方向に縫合されて、内部は収容ユニット１１０用の収容部Ｓ１１と補強部１２０用の収容部Ｓ１２とに仕切られている。補強部１２０がベルト本体１０の左端部１０Ｌ側の収容部Ｓ１２に配置され、収容ユニット１１０が右端部１０Ｒから左端部１０Ｌ側の補強部１２０近くまでに亘って収容部Ｓ１１で帯状に延びている。
【００１９】
図２（ｃ）〜（ｅ）は収容ユニット１１０を構成する部材を示す断面図であり、収容ユニット１１０は、伸縮自在で長尺な空気袋１１１と、空気袋１１１より剛性を高く構成されていて空気袋１１１が膨らむ方向を規制する長尺な規制板１１２と、空気袋１１１と規制板１１２とを重ね合わせるように収容する収納袋１１３と、を備えている。
【００２０】
空気袋１１１は、図１（ｂ）に示すように周縁の一部から突き出た口部１１１Ａを備えており、この口部１１１Ａから内部に送り込んだ空気で膨張する。規制板１１２は空気袋１１１の一方の面に当たって他方の面を膨らませる。収納袋１１３は、内部が仕切られて二つのポケットＰ１，Ｐ２を備えており、一方のポケットＰ１に空気袋１１１を入れ、他方のポケットＰ２に規制板１１２を入れることができ、空気袋１１１と規制板１１２は面で仕切り１１３Ｃを挟むように配置されている。収納袋１１３は、空気袋１１１を覆う表皮材１１３Ａが規制板１１２を覆う表皮材１１３Ｂや仕切り１１３Ｃと比べて伸縮性が高く構成されている。
【００２１】
補強部１２０は、芯材としてベルト本体１０の左端部１０Ｌの内部に設けられており、板状に形成されていて左端部１０Ｌが平坦に広がるよう支える。ベルト本体１０の左端部１０Ｌは補強部１２０だけを内部に収容して非膨張に構成されている。
【００２２】
第１サブベルト２１は、長尺に形成されていて、相対する端部の一方（以下、基端部と呼ぶ。）をベルト本体１０の外側の面に固定されている。第１サブベルト２１は、基端部がベルト本体１０の右端よりベルト長手方向の中間側へ距離を置いた箇所に固定されていて、右端側へ延びている。なお、図１（ａ）では第１サブベルト２１の先端側は雄バックル３１で折り返されている。
【００２３】
第２サブベルト２２は、長尺に形成されていて、相対する端部の一方（以下、基端部と呼ぶ。）をベルト本体１０の外側の面に固定されている。第２サブベルト２２は、基端部がベルト本体１０の左端よりベルト長手方向の中間側へ距離を置いた箇所に固定されていて、左端側へ延びている。なお、図１（ａ）では、第２サブベルト２２の先端側は雌バックル３２で折り返されている。
【００２４】
雄バックル３１は、第１サブベルト２１を通すベース部３１１と、ベース部３１１より突出していて雌バックル３２に嵌る嵌入部３１２と、を備えている。ベース部３１１は横に並ぶ二つの開口を備えており、一方が嵌入部３１２側に設けられていて第１サブベルト２１を折り返す第１開口であり、他方が第１開口３１１Ａより第１サブベルト２１の基端側へずれて設けられていて折り返した第１サブベルト２１の先端側を通す第２開口３１２である。以下、ベース部で第２の開口から縁まで横に広がる部分を上面端部３１１Ｃと呼ぶ。
【００２５】
雌バックル３２は、第２サブベルト２２を通すベース部３２１と、ベース部３２１に連続して形成されていて雄バックル３１を入れる受け部３２２と、を備えている。雌バックル３２のベース部３２１は、雄バックル３１のベース部３１１と同様に横に並ぶ二つの開口を備えている。ベース部３２１は、受け部３２２側に設けられていて第２サブベルト２２を折り返す第１開口３２１Ａと、第１開口３２１Ａより第２サブベルト２２の基端側へずれて設けられていて折り返した第２サブベルト２２の先端側を通す第２開口３２１Ｂと、第２開口３２１Ｂから縁まで横に広がる部分を上面端部３２１Ｃと、を備えている。
【００２６】
図３（ａ）は図１（ａ）のＡ３−Ａ３線に沿った加圧用具１の概略断面図である。なお、図３（ａ）ではベルト本体１０の断面については構成を省略して表している。第１サブベルト２１は、雄バックル３１のベース部３１１を長さ調整用のアジャスター部として利用する。第１サブベルト２１の先端側が雄バックル３１に設けた第１開口３１１Ａに下から入り、引き出された先端側が第２開口３１１Ｂに上から入り、更にこの第２開口３１１Ｂより外側に配置されるバックルの上面端部３１Ｃの下を通って外側へ引き出されている。引き出す長さ、つまり折り返しの長さを変えることで第１サブベルト２１での取付位置と共にベルト本体１０上における雄バックル３１の位置が変わる。本実施形態では、後述するように脚に装着した状態で第１サブベルト２１の長さを変えて、脚を締め付ける強さを調整することができる。
【００２７】
図３（ｂ）は図１（ａ）のＡ４−Ａ４線に沿った加圧用具１の概略断面図である。なお、ベルト本体１０の断面については構成を省略して表している。第２サブベルト２２は、雌バックル３２のベース部３２１を長さ調整用のアジャスター部として利用する。第２サブベルト２２は、雄バックル３１の第１サブベルト２１への取り付け方と同様に、先端側が雌バックル３２に設けた第１開口３２１Ａに下から入り、引き出された先端側が第２開口３２１Ｂに上から入り、更にこの第２開口３２１Ｂより外側に配置されるバックルの上面端部３２Ｃの下を通って外側へ引き出されている。引き出す長さ、つまり折り返しの長さを変えることで第２サブベルト２２での取付位置と共にベルト本体１０上における雌バックル３２の位置が変わる。例えば、雌バックル３２のベルト本体１０上における位置を１０ｃｍの範囲で変えることができる。本実施形態では、後述するように脚に巻く前に第２サブベルト２２の長さを変えて脚のまわりに対応するリング型のベルト本体１０の大きさを調整することができる。
【００２８】
ベルト本体１０は使用者の脚のまわりに巻いてリング型に形を変えた状態で雄バックル３１と雌バックル３２とをつないで装着する。なお、ベルト本体１０を装着する際、左端部１０Ｌと右端部１０Ｒとを近づけ、好ましくはベルト本体１０の左端部１０Ｌを右端部１０Ｒに重ねる。さらに本実施形態では、脚に装着した状態を保持するよう、加圧用具１は、連結した雄バックル３１と雌バックル３２を覆うカバー部材４０と、カバー部材４０を固定する面ファスナー５０と、を備えている。
【００２９】
カバー部材４０は、ベルト本体１０の右端部１０Ｒに設けられており、ベルト本体１０の相対する長い縁からそれぞれ張り出している。カバー部材４０は、ベルト本体の幅より縦に広がるシート状の基材を右端部１０Ｒに縫合し、その際に基材の一部を延出部としてベルト本体１０の縁それぞれから外側へ張り出させることで構成することができる。二つの延出部は、それらの間に位置するベルト本体１０の外側の面を覆うことができる。図４（ａ）は加圧用具１を示す部分平面図であって二つの延出部が右端部１０Ｒに被さった状態を示し、図４（ｂ）は図４（ａ）のＡ５−Ａ５線に沿った加圧用具の概略断面図である。なお、図４（ｂ）ではベルト本体１０の断面については構成を省略して表している。二つの延出部はベルト本体１０の外側で重ねられ、一方の延出部が下に配置され（下側延出部４１０と呼ぶ。）、他方の延出部が上に配置される（以下、上側延出部４２０と呼ぶ。）。また、図４（ａ）では下側延出部４１０と上側延出部４２０とで覆われた雄バックル３１と第１サブベルト２１を破線で表している。
【００３０】
面ファスナー５０が、下側延出部４１０と上側延出部４２０とを重ねた際に合わさる箇所に設けられている。図示例では、ループ状の突起（以下、ループ部と呼ぶ。）を多数備えた第１面ファスナー５１０を下側延出部４１０に設け、第１面ファスナー５１０のループ部に掛かるフック状の突起（以下、フック部と呼ぶ。）を多数備えた第２面ファスナー５２０を上側延出部４２０に設けている。
【００３１】
下側延出部４１０と上側延出部４２０とがベルト本体１０の外側の面に被さった状態、つまり図４の（ａ）と（ｂ）に示す端部被覆状態では、カバー部材４０とベルト本体１０とが外収容部Ｓ２を構成する。外収容部Ｓ２は、ベルト本体１０の長手方向に距離をおいて口を設けており、内部が一方の口から他方の口まで通じその距離はベルト本体１０の幅よりも長く、また連結した雄バックル３１と雌バックル３２とが収まることができるよう構成されている。下側延出部４１０と上側延出部４２０とは第１サブベルト２１と第２サブベルト２２それぞれの雄バックル３１と雌バックル３２で折り返した先端側にも被さる。なお、図４（ｂ）では、下側延出部４１０と上側延出部４２０がベルト本体１０とを水平に延ばし、さらに口を開けた状態で表している。
ベルト本体１０の脚が当たる内側の面では、好ましくは、外収容部Ｓ２が構成される一方の端部側が他の部分と比べてノンスリップ性を高く構成される。
【００３２】
さらに、加圧用具１は、端部被覆状態でカバー部材４０の外に現れる第１サブベルト２１と第２サブベルト２２のそれぞれの先端側の動きを規制する第１規制部材と第２規制部材とを備えている。
【００３３】
加圧用具１は、第１規制部材としてゴムバンド６０を備えている。ゴムバンド６０は貫通穴を有しており、貫通穴にベルト本体１０を通してベルト本体１０に取り付けられている。ゴムバンド６０は、貫通穴を広げてベルト本体１０の長手方向に取付位置を変えることができる。貫通穴は近接する対向面を有し、対向面がベルト本体１０の外側と内側の面に合わさり或いは近接する。第１サブベルト２１の先端側を貫通穴に通して、第１サブベルト２１の動きを抑えることができる。
【００３４】
加圧用具１は、第２規制部材として、一方の端部をベルト本体１０の外側の面に固定されたストラップ７０と、ストラップ７０の他方の端部をベルト本体１０の外側の面に固定する面ファスナー８０と、を備えている。ストラップ７０は、縦長の紙片状に形成されていて一方の端部をベルト本体１０の一方の縁に寄せて固定されており、他方の端部が面ファスナー８０を介してベルト本体１０の他方の縁側に着脱自在に留められる。面ファスナー８０はストラップ７０とベルト本体１０とが合わさる箇所に設けられており、ループ部を多数備えた第１面ファスナー８１０をストラップ７０に設け、フック部を多数備えた第２面ファスナー８２０をベルト本体１０に設けている。ストラップ７０が先端側をベルト本体１０に留められて中間部を第２サブベルト２２に当ててその動きを抑えることができる。
【００３５】
加圧用具１を構成する内表皮材１０１、外表皮材１０２、ストラップ８１０、収納袋１１３と、第１サブベルト２１、第２サブベルト２２は伸縮性素材や速乾性などを有する目の粗いメッシュ地、その他各種の生地を利用することができる。裁断した布地を他の部材と縫合して、或いは化繊を熱溶着させて、加圧用具を構成する。なお第１サブベルト２１、第２サブベルト２２は、ベルト本体１０より太い糸で織って強度を高く構成してもよい。空気袋１１１は、ゴム製で、膨張して口部１１１Ａを塞ぐと密封して膨張した状態が保持され、口部１１１Ａを開けると内部の空気が排出されて元の平たい形に戻る。
【００３６】
カバー部材４０は、好ましくはベルト本体と異なる生地、シートを基材として利用し、例えばゴム製のシートをベルト本体１０の右端部１０Ｒに縫合されている。図示例では、ノンスリップ性を有する面が脚に当たるよう一枚のシートをその中間部でベルト本体１０に取り付けられていて、平面視でシートの相対する前後の端部が下側延出部４１０と上側延出部４２０としてベルト本体１０の長い縁から張り出している。一枚のシートに代えて、これより小さい２枚のシートを下側延出部４１０と上側延出部４２０としてベルト本体１０の長い縁に縫合してもよい。
【００３７】
雄バックル３１、雌バックル３２は樹脂成型されたもの、規制板１１２や補強部１２０は樹脂製シートを用いることができる。雄バックル３１、雌バックル３２に代えて、第１留め具や第２留め具として、雄バックル３１、雌バックル３２と同様に、第１サブベルト２１、第２サブベルト２２の折り返す長さを調整して第１サブベルト２１、第２サブベルト２２に取り付けるためのアジャスター部を一部に備えると共に、フックやこれが掛かるリング部、或いはスナップなど他のファスナー部を備えたものを用いてもよい。
【００３８】
（使用方法）
加圧用具１の使用方法について説明する。先ず加圧用具１のサイズ調整を行う。加圧用具１を脚に巻いた際に、雄バックル３１から雌バックル３２までの長さが使用者の脚まわりに相応するよう、ベルト本体１０のリング型の形での大きさを調整する。具体的には第２サブベルト２２の折り返しの長さを変えて雌バックル３２の位置をセットする。雌バックル３２で折り返した第２サブベルト２２の先端側をストラップ７０でベルト本体１０の外側の面に留める。
【００３９】
サイズ調整後、ベルト本体１０の内側の面を脚に当てて巻く。ベルト本体１０の左端部１０Ｌを右端部１０Ｒに重ねてリング型の形に変え、図５（ａ）に示すように、ベルト本体１０の左端部１０Ｌ上で雄バックル３１と雌バックル３２を連結する。
【００４０】
使用中の締め付けの強さを変える加圧調整を行う。第１サブベルト２１の折り返しの長さを変えて雄バックル３１の位置をセットする。雄バックル３１で折り返した第１サブベルト２１の先端側をゴムバンド６０でベルト本体１０の外側の面に留める。
【００４１】
雄バックル３１と雌バックル３２とがつながった状態で、図５（ｂ）に示すように、下側延出部４１０と上側延出部４２０とを雄バックル３１、雌バックル３２の上にそれぞれ被せて、上側延出部４２０を面ファスナー５０で下側延出部４１０に留める。カバー部材４０で、雄バックル３１や雌バックル３２で折り返す第１サブベルト２１や第２サブベルト２２の内、第２開口３２１Ｂ寄りの一部を覆う。
【００４２】
ベルト本体１０の外側に突出する空気袋１１１の口部１１１Ａに連結具を介してチューブ２、ポンプ３や計測器４をつなぎ、空気袋１１１に空気を送って膨らませる。所望の圧力で膨らんでいる状態でポンプ３などを外す。ここで、連結具として弁付きのカプラーなどを用いて空気袋１１１が膨張した状態を保持する。
【００４３】
ベルト本体１０の内部に設けられた収容ユニット１１０では、空気袋１１１が、外側の面を規制板１１２で押さえられ、収納袋１１３の空気袋１１１側の表皮材１１３Ａを伸ばして脚が当たる側へ膨らむ。空気袋１１１が膨らんで脚を締め付けることで、脚の血流を抑える。
【００４４】
加圧用具１によれば、端部被覆状態で雄バックル３１や雌バックル３２が外収容部Ｓ２に入れられて固定されているので、雄バックル３１と雌バックル３２の連結が不用意に外れることを防止することができる。これにより脚を加圧した状態を一層持続させて水中でトレーニングを行うことができる。
【００４５】
ベルト本体１０の両端部が使用中に離れると緩んで脚から外れてしまう虞があるが、ベルト本体１０の左端部１０Ｌが外収容部Ｓ２に入れられて右端部１０Ｒと重なることで、安定して装着した状態を維持することができる。また、ベルト本体１０の右端部１０Ｒで脚に当たる面がノンスリップ機能を有する場合には、装着の安定性を向上させることができる。
【００４６】
加圧用具１によれば第１サブベルト２１や第２サブベルト２２の先端側がゴムバンド６０やストラップ７０によってベルト本体１０に留められることで、水から受ける影響をさらに低減することができる。
【００４７】
収容ユニット１１０では、空気袋１１１を覆う表皮材１１３Ａが規制板１１２を覆う表皮材１１３Ｂや仕切り１１３Ｃと比べて伸縮性が高いことから、脚の締め付けを好適に行うことができる。また、収容ユニット１１０として空気袋１１１と規制板１１２とが束ねられているので、製造や交換などの際に取り扱いが容易である。
【００４８】
加圧用具１は、脚の太さの異なる複数の使用者に利用することができる。使用者の脚に合わせてサイズ調整を行った後、芯を成す規制板１１２と補強部１２０とを備えた端部を重ね合わせ、重ね合わせた端部上で雄バックル３１と雌バックル３２とを連結する。さらにカバー部材４０を雄バックル３１と雌バックル３２とに被せることで、雄バックル３１と雌バックル３２とを固定することができる。
【００４９】
（第２実施形態）
図６は本発明の第２実施形態の加圧用具１Ａを示しており、（ａ）は平面図であり、（ｂ）は底面図である。図６（ａ）では、図１の第１実施形態と同様に、加圧用具１Ａを広げて横に延ばした状態を示している。加圧用具１Ａは、第１実施形態と異なり、第２サブベルトを用いずに構成されている。第１実施形態と同様の構成には同じ符号を付して、その説明を省略する。
【００５０】
雌バックル３２Ａは、第１実施形態の雌バックル３２と異なり、アジャスター部を備えずに構成されており、ベース部３２１′の取付用開口３２１Ｄに通した取付布２５をベルト本体１０の左端部１０Ｌに縫合して、設けられている。
【００５１】
（使用方法）
加圧用具１Ａの使用方法は、第１実施形態の加圧用具１と同様に、ベルト本体１０を脚のまわりに巻いてベルト本体１０の左端部１０Ｌを右端部１０Ｒに重ね、左端部１０Ｌ上で雄バックル３１と雌バックル３２Ａとを連結し、さらにカバー部材４０を少なくとも雄バックル３１に被せて、雄バックル３１を固定する第１工程を行う。この第１工程の際に、使用中の締め付けの強さを変える加圧調整を行う。第１サブベルト２１の折り返しの長さを変えて雄バックル３１の位置をセットする。雄バックル３１で折り返した第１サブベルト２１の先端側をゴムバンド６０でベルト本体１０の外側の面に留める。
【００５２】
チューブ２、ポンプ３や計測器４を利用して空気袋１１１を膨らませて脚の血流を抑える。加圧用具１Ａで脚を締めた状態で水中トレーニングを行う（第２工程）。
【００５３】
加圧用具１Ａによれば、端部被覆状態で雄バックル３１或いは雄バックル３１及び雌バックル３２Ａが外収容部Ｓ２に入れられて固定されているので、雄バックル３１と雌バックル３２Ａの連結が不用意に外れることを防止することができる。これにより脚を加圧した状態を一層持続させて水中でトレーニングを行うことができる。
【００５４】
本発明は、上記説明や図示例に限定されるものではない。加圧用具１，１Ａは腕に巻いて床上での運動，リハビリなどのトレーニングに利用することもできる。また、雄バックル３１と雌バックル３２Ａの位置を逆にして加圧用具１，１Ａを構成することもできる。第１規制部材や第２規制部材も第１サブベルト２１や第１サブベルト２２の先端側をそれぞれベルト本体１０に押さえるために、両者を同じ部材で構成したり、その他のスナップ、ボタンなどの他の留め具を利用することもできる。カバー用保持部材も、カバー部材をベルト本体の長手方向で端から端まで固定するよう、面ファスナーに代えて各種の留め具を利用することもできる。
【００５５】
第１実施形態では、雄バックル３１、雌バックル３２とベルト本体１０の左端部１０Ｌが外収容部Ｓ２に収まる構成を説明したが、雌バックル３２がベルト本体１０の左端部１０Ｌの延長先に第２サブベルト２２によって配置される場合、ベルト本体１０の左端部１０Ｌと右端部１０Ｒとを近接させて腕や脚に巻き、外収容部Ｓ２に左端部１０Ｌと右端部１０Ｒとを入れて、装着した状態を保持するように構成してもよい。
【符号の説明】
【００５６】
１，１Ａ  加圧用具
２  チューブ
３  ポンプ
４  計測器
１０  ベルト本体
１０Ｌ  左端部
１０Ｒ  右端部
１１  内表皮材
１２  外表皮材
１１０  収容ユニット
１１１  空気袋
１１２  規制板
１１３  収納袋
１２０  補強部
２１  第１サブベルト
２２  第２サブベルト
３１  雄バックル
３１１  ベース部
３１１Ａ  第１開口
３１１Ｂ  第２開口
３１２  嵌入部
３２，３２Ａ  雌バックル
３２１，３２１′  ベース部
３２１Ａ  第１開口
３２１Ｂ  第２開口
３２２  受け部
４０  カバー部材
４１０  下側延出部
４２０  上側延出部
５０  面ファスナー
５１０  第１面ファスナー
５２０  第２面ファスナー
Ｓ１１，Ｓ１２  収容部
Ｓ２  外収容部
６０  ゴムバンド
７０  ストラップ
【図１】
2020137900.tif 000003
【図２】
2020137900.tif 000004
【図３】
2020137900.tif 000005
【図４】
2020137900.tif 000006
【図５】
2020137900.tif 000007
【図６】
2020137900.tif 000008
【図７】
2020137900.tif 000009
【図８】
2020137900.tif 000010